(57)【特許請求の範囲】
【請求項１】
コンテンツを記録する記録装置と、前記コンテンツに付加情報を付加するためのユーザ操作を受け付ける操作装置とを有するコンテンツ管理システムであって、
前記記録装置において記録媒体に記録された最新のコンテンツデータに付加情報を関連付けて記録するための第１の処理をユーザ操作に応じて実行する処理手段と、
前記記録装置の動作モードがコンテンツを記録するための記録モードへ他の動作モードから遷移してから前記記録装置での該遷移後で最初の記録動作が実行されるまで、前記第１の処理の実行を指示するユーザ操作を不能にする制御手段と、を備え、
前記操作装置は、前記第１の処理の実行を指示するユーザ操作を受け付けるための第１の表示アイテムを表示する機能を有し、
前記制御手段は、前記第１の表示アイテムを表示させない、または、無効であることを示す表示形態で前記第１の表示アイテムを表示し、前記第１の処理の実行を指示するユーザ操作を不能にすることを特徴とするコンテンツ管理システム。
【請求項２】
前記記録装置の動作モードがコンテンツを記録するための記録モードへ他の動作モードから遷移したことを判定する判定手段をさらに備えることを特徴とする請求項１に記載のコンテンツ管理システム。
【請求項３】
前記制御手段は、コンテンツを記録するための記録媒体が初期化されてから該記録媒体に最初の記録動作が実行されるまで、前記第１の処理の実行を指示するユーザ操作を不能にする、ことを特徴とする請求項１または２に記載のコンテンツ管理システム。
【請求項４】
コンテンツを記録するための記録媒体を着脱可能な装着部に記録媒体が装着されているか否かを検出する検出手段を更に備え、
前記制御手段は、前記検出手段により前記装着部に記録媒体が装着されていないことが検出された後に、記録媒体が装着されて記録動作が実行されるまで、前記第１の処理の実行を指示するためのユーザ操作を不能にする、ことを特徴とする請求項１乃至３のいずれか１項に記載のコンテンツ管理システム。
【請求項５】
前記制御手段は、前記検出手段により前記装着部に記録媒体が装着されていないことが検出された後に、前記装着部に記録媒体が装着されていることを検出した場合、その記録媒体が最後にコンテンツの記録を行なった記録媒体である場合には前記第１の処理の実行指示のためのユーザ操作を、前記最初の記録動作の実行を待たずに、可能にすることを特徴とする請求項４に記載のコンテンツ管理システム。
【請求項６】
コンテンツが記録される記録媒体を着脱可能な装着部の蓋の開閉を検出する検出手段を更に備え、
前記制御手段は、前記検出手段により前記蓋が開いていることが検出された後、前記装着部に装着された記録媒体への記録動作が実行されるまで、前記第１の処理の実行を指示するユーザ操作を不能にする、ことを特徴とする請求項１乃至３のいずれか１項に記載のコンテンツ管理システム。
【請求項７】
複数の記録媒体からコンテンツの記録先とする記録媒体を選択する選択手段を更に備え、
前記制御手段は、前記選択手段により選択された記録媒体が最後にコンテンツの記録を行なった記録媒体であれば前記第１の処理の実行を指示するユーザ操作を可能にし、前記選択された記録媒体が最後にコンテンツの記録を行なった記録媒体でなければ前記第１の処理の実行を指示するユーザ操作を不能にする、ことを特徴とする請求項１乃至６のいずれか１項に記載のコンテンツ管理システム。
【請求項８】
前記操作装置において、前記第１の表示アイテムが無効であることを示す表示形態で表示されている状態で前記第１の表示アイテムが選択された場合、前記第１の処理が実行されないことを示す警告を表示する警告表示手段を更に備える、ことを特徴とする請求項１に記載のコンテンツ管理システム。
【請求項９】
前記記録装置と前記操作装置は別体で構成され、無線または有線による通信手段により接続され、
前記操作装置は、ユーザ操作に応じて前記第１の処理の実行指示を付加情報とともに前記記録装置に前記通信手段を介して送信することを特徴とする請求項１乃至８のいずれか１項に記載のコンテンツ管理システム。
【請求項１０】
前記コンテンツは、動画、静止画、音のいずれかを含むことを特徴とする請求項１乃至９のいずれか１項に記載のコンテンツ管理システム。
【請求項１１】
前記他の動作モードとはパワーオフまたは再生モードを含むことを特徴とする請求項１０に記載のコンテンツ管理システム。
【請求項１２】
前記操作装置は、前記第１の表示アイテムとともに、これから記録されるコンテンツに関連付けて付加情報を記録するための第２の処理の実行を指示するユーザ操作を受け付けるための第２の表示アイテムを表示することを特徴とする請求項１に記載のコンテンツ管理システム。
【請求項１３】
前記制御手段は、前記記録装置の動作モードがコンテンツを記録するための記録モードへ他の動作モードから遷移してから前記記録装置での該遷移後で最初の記録動作が実行されるまでであっても、前記第２の表示アイテムによる前記第２の処理の実行を指示するユーザ操作を受け付け可能とすることを特徴とする請求項１２に記載のコンテンツ管理システム。
【請求項１４】
前記操作装置は、前記記録装置で現在記録中のコンテンツに関連付けて付加情報を記録するための第３の処理の実行を指示するユーザ操作を受け付けるための第３の表示アイテムを表示する機能を有し、
前記制御手段は、前記記録装置でコンテンツを記録中の場合は、前記第３の表示アイテムを表示し、前記記録装置でコンテンツを記録中でない場合には、前記第１の表示アイテムを表示するように制御することを特徴とする請求項１に記載のコンテンツ管理システム。
【請求項１５】
コンテンツを記録する記録装置と通信が可能な操作装置であって、
ユーザ操作に応じて、前記記録装置で直前に記録されたコンテンツに関連付けて付加情報を記録する第１の処理の実行を、前記記録装置に指示する指示手段と、
前記記録装置からの通知に基づいて、該記録装置がコンテンツを記録するための記録モードへ他の動作モードから遷移してから最初の記録動作が実行されるまでの間の状態にあるかどうかを判定する判定手段と、
前記第１の処理の実行を指示するユーザ操作を受け付けるための第１の表示アイテムを表示する表示手段と、
前記判定手段により、前記記録装置が前記状態にあると判定された場合に、前記第１の表示アイテムを表示させない、または、無効であることを示す表示形態で前記第１の表示アイテムを表示し、前記指示手段による前記第１の処理の実行を指示するためのユーザ操作を不能にする制御手段と、を備えることを特徴とする操作装置。
【請求項１６】
コンテンツを記録する記録装置と、前記コンテンツに付加情報を付加するためのユーザ操作を受け付ける操作装置とを有するコンテンツ管理システムの制御方法であって、
処理手段が、前記記録装置において記録媒体に記録された最新のコンテンツデータに付加情報を関連付けて記録するための第１の処理をユーザ操作に応じて実行する処理工程と、
制御手段が、前記記録装置の動作モードがコンテンツを記録するための記録モードへ他の動作モードから遷移してから前記記録装置での該遷移後で最初の記録動作が実行されるまで、前記第１の処理の実行を指示するユーザ操作を不能にする制御工程と、を有し、
前記操作装置が前記第１の処理の実行を指示するユーザ操作を受け付けるための第１の表示アイテムを表示する機能を有し、
前記制御工程では、前記第１の表示アイテムを表示させない、または、無効であることを示す表示形態で前記第１の表示アイテムを表示し、前記第１の処理の実行を指示するユーザ操作を不能にすることを特徴とするコンテンツ管理システムの制御方法。
【請求項１７】
コンテンツを記録する記録装置と通信が可能な操作装置の制御方法であって、
指示手段が、ユーザ操作に応じて、前記記録装置で直前に記録されたコンテンツに関連付けて付加情報を記録する第１の処理の実行を、前記記録装置に指示する指示工程と、
判定手段が、前記記録装置からの通知に基づいて、該記録装置がコンテンツを記録するための記録モードへ他の動作モードから遷移してから最初の記録動作が実行されるまでの間の状態にあるかどうかを判定する判定工程と、
表示手段が、前記第１の処理の実行を指示するユーザ操作を受け付けるための第１の表示アイテムを表示する表示工程と、
制御手段が、前記判定工程により前記記録装置が前記状態にあると判定された場合に、前記第１の表示アイテムを表示させない、または、無効であることを示す表示形態で前記第１の表示アイテムを表示し、前記指示工程による前記第１の処理の実行を指示するためのユーザ操作を不能にする制御工程と、を有することを特徴とする操作装置の制御方法。
【請求項１８】
コンピュータを、請求項１乃至１４のいずれか１項に記載のコンテンツ管理システムの各手段として機能させるためのプログラム。
【請求項１９】
コンピュータを、請求項１５に記載の操作装置の各手段として機能させるためのプログラム。
【発明の詳細な説明】
【技術分野】
【０００１】
本発明は記録媒体に記録されたコンテンツに関連付けて付加情報を記録する  コンテンツ管理装置、記録装置、操作装置、コンテンツ管理システムおよびそれらの制御方法に関するものである。
【背景技術】
【０００２】
近年、小型軽量なメモリカードに撮影した画像を記録するデジタルスチルカメラやデジタルビデオカメラなどの電子撮像装置が普及している。このような電子撮像装置は多機能化されており、撮影画像だけでなく、撮影した画像に関連付けた様々な付加情報を記録することもできるようになっている。例えば、撮影した画像と共に撮影者情報、撮影場所情報、コメントなどの文字情報を記録することができる。撮影した画像に関連付けた付加情報は、例えば、編集作業を行う際に目的の画像を検索するための情報として用いられている。
【０００３】
特許文献１には、画像の撮影後に撮影画像とともに人物アイコンやジャンルアイコンを表示し、いずれかのアイコンがタッチされると、そのアイコンに関連付けられている個人情報、キーワード等の情報を識別情報として画像に付加することが記載されている。また、特許文献２では画像撮像装置に無線機能を搭載し、携帯性に優れたタブレットＰＣやスマートフォンなどで編集した付加情報を無線を使用して画像撮像装置に転送することで付加情報の変更処理を行うことが記載されている。
【先行技術文献】
【特許文献】
【０００４】
【特許文献１】特開平１１−１４６３１７号公報
【特許文献２】特開２００３−１８８９５０号公報
【発明の概要】
【発明が解決しようとする課題】
【０００５】
画像に関連づける付加情報の内容をユーザが入力するタイミングとして、以下の３つが想定される。
（１）画像を撮影（記録）する前に、これから撮影する画像に付加する付加情報を入力して指定しておく。
（２）画像（特に動画像）の撮影中（記録中）に、現在撮影中である画像に付加する付加情報を入力する。
（３）画像を撮影（記録）した後に、直前に記録した画像に付加する付加情報を入力して関連付ける。
【０００６】
上記（２）のタイミングは、専ら動画撮影に適用され得るタイミングであるが、（１）と（３）にタイミングは、静止画、動画問わずに適用され得る。（１）と（３）のタイミングは何れも撮影待機中におけるタイミングである。すなわち、ユーザが撮影待機中に付加情報の入力を行う場合、その付加情報を付加しようとしている対象画像としては、これから撮影する画像（（１）のケース）と、直前に撮影した画像（（３）のケース）があり得る。そのため、（１）と（３）の双方を可能とするためには、ユーザが付加情報を入力するたびに、その付加情報を付加する対象がこれから撮影する画像であるのか、直前に撮影した画像であるのかを選択する操作が必要となる。しかしこれは慌ただしい撮影現場では煩わしい作業であり、かつ誤操作に繋がる恐れがあるという課題があった。特に、他の動作モードからカメラモード（撮影モード）に遷移した後で撮影が一度も開始されていない場合などは、直前に撮影された画像は現在の撮影に対して特に関連性の無いものである可能性がある。したがって、付加情報を入力するユーザは、直前に撮影された画像がどのような画像であったかを把握していない可能性もある。このような状況が発生した場合に、直前に撮影された画像に付加情報を関連付けて記録する操作が行われると、誤って意図しない画像に関連付けて付加情報を記録してしまうおそれがある。
【０００７】
本発明は、上記課題に鑑みてなされたものであり、意図しないコンテンツに関連付けて誤って付加情報を記録してしまう可能性を低減することを目的とする。
【課題を解決するための手段】
【０００８】
上記の目的を達成するための本発明の一態様によるコンテンツ管理装置は以下の構成を備える。すなわち、
コンテンツを記録する記録装置と、前記コンテンツに付加情報を付加するためのユーザ操作を受け付ける操作装置とを有するコンテンツ管理システムであって、
前記記録装置において記録媒体に記録された最新のコンテンツデータに付加情報を関連付けて記録するための第１の処理をユーザ操作に応じて実行する処理手段と、
前記記録装置の動作モードがコンテンツを記録するための記録モードへ他の動作モードから遷移してから前記記録装置での該遷移後で最初の記録動作が実行されるまで、前記第１の処理の実行を指示するユーザ操作を不能にする制御手段と、を備え、
前記操作装置は、前記第１の処理の実行を指示するユーザ操作を受け付けるための第１の表示アイテムを表示する機能を有し、
前記制御手段は、前記第１の表示アイテムを表示させない、または、無効であることを示す表示形態で前記第１の表示アイテムを表示し、前記第１の処理の実行を指示するユーザ操作を不能にする。
【発明の効果】
【０００９】
本発明によれば、意図しない画像に関連付けて誤って付加情報を記録してしまう可能性を低減することができる。
【図面の簡単な説明】
【００１０】
【図１】デジタルビデオカメラ１００のハードウェアブロック図。
【図２】携帯端末２００のハードウェアブロック図。
【図３】デジタルビデオカメラ１００のカメラモードでの全体処理のフローチャート。
【図４】デジタルビデオカメラ１００の制御情報生成処理のフローチャート。
【図５Ａ】携帯端末２００の外部機器制御モードでの全体処理のフローチャート。
【図５Ｂ】携帯端末２００の外部機器制御モードでの全体処理のフローチャート。
【図６】デジタルビデオカメラ１００のメニュー画面の表示例を示す図。
【図７】携帯端末２００の外部機器制御モードでの画面の表示例を示す図。
【図８】デジタルビデオカメラ８００のハードウェアブロック図。
【図９】デジタルビデオカメラ８００の制御情報生成処理のフローチャート。
【図１０】デジタルビデオカメラ１０００のハードウェアブロック図。
【図１１】デジタルビデオカメラ１０００の制御情報生成処理のフローチャート。
【図１２】デジタルビデオカメラ１００のカメラモードでの全体処理のフローチャート。
【図１３】デジタルビデオカメラ１００の付加情報処理のフローチャート。
【図１４】デジタルビデオカメラ１００の記録処理のフローチャート。
【発明を実施するための形態】
【００１１】
＜第１実施形態＞
以下の実施形態では、動画または音を含むコンテンツを記録する記録装置と、記録装置により記録されたコンテンツに付加情報を付加するためのユーザ操作を受け付ける操作装置とを具備したコンテンツ管理システムあるいはコンテンツ管理装置として、動画管理装置を例示して説明する。また、動画を記録可能なデジタルビデオカメラを記録装置として、デジタルビデオカメラと無線または有線により通信が可能な携帯端末を操作装置として例示するが、本発明は、これらに限られるものではない。また、記録装置と操作装置は別体でなくてもよく、記録装置に操作装置が組み込まれた形態であってもよい。図１と図２に、本発明を適用可能な画像管理装置の構成の一例を示す。画像管理装置は、図１に示すデジタルビデオカメラ１００（カムコーダ）と図２に示す携帯端末２００を用いて構成され得る。
【００１２】
図１を参照して、第１実施形態のデジタルビデオカメラ１００の構成を説明する。デジタルビデオカメラ１００において、制御部１０には、画像圧縮／伸長部１１、撮像部１２、画像処理部１３、無線通信部１４、表示部１５、操作部１６、ＲＯＭ１７、ＲＡＭ１８、記録媒体Ｉ／Ｆ１９、などの構成部が接続されている。制御部１０と各構成部は互いにデータのやり取りを行うことができるようにされている。
【００１３】
制御部１０は、デジタルビデオカメラ１００のシステム全般を制御するシステム制御部として機能する。制御部１０はＲＯＭ１７に記録されたプログラムをＲＡＭ１８に展開して実行することで、各構成部を制御し、後述のフローチャートを実行する。ＲＯＭ１７は、不揮発性の記録媒体であり、制御部１０が実行するプログラムを記憶している。ＲＡＭ１８は制御部１０のワークメモリとして用いられる揮発性の記録媒体である。また、ＲＡＭ１８は、撮像部１２で撮像し画像処理部１３により画像処理された画像データや着脱可能な記録媒体２０から読み出した画像データを、画像圧縮／伸長部１１へ提供するために一時格納するメモリとしても用いられる。また、ＲＡＭ１８は、そのような画像データを、表示部１５で表示するために一時格納するＶＲＡＭとしても用いられる。さらには、ＲＡＭ１８は、撮像した画像と共に関連付けて記録する付加情報を一時格納する保持領域を提供する。なお、付加情報は無線通信部２４より携帯端末２００から受信することができる。
【００１４】
デジタルビデオカメラ１００には、画像データを記録するための記録媒体を着脱可能に装着でき、そのために、記録媒体の装着部としての記録媒体Ｉ／Ｆ１９を有する。記録媒体Ｉ／Ｆ１９はメモリカード等の着脱可能な記録媒体を挿入可能なスロットになっている。図１においては、記録媒体Ｉ／Ｆ１９に着脱可能な記録媒体２０が装着されている例を図示している。デジタルビデオカメラ１００では、着脱可能な記録媒体２０に画像データを記録する構成を用いて説明したが、デジタルビデオカメラ１００に内蔵された着脱のできないメモリに画像データを記録する構成を用いてもよい。
【００１５】
画像処理部１３は、撮像部１２で撮像された画像データに、所定の画素補間、リサイズ処理や色変換処理を行う。また、画像処理部１３は、撮像された画像データを用いて所定の演算処理を行なう。制御部１０は画像処理部１３により得られた演算結果に基づいて撮像部１２による撮像に関する各種制御（露光制御、オートホワイトバランス制御など）を行う。画像圧縮／伸長部１１は画像処理部１３で画像処理された画像データに対する圧縮処理や、着脱可能な記録媒体２０から読み出した画像データに対する伸長処理を行う。
【００１６】
撮像部１２は、撮影レンズ（ズームレンズとフォーカスレンズ含む）と撮像素子を有し、制御部１０の制御に基づき被写体を撮像し、静止画や動画像データといった画像データを取得する。表示部１５は、制御部１０の制御に基づき、各種設定状態や、撮像部１２で撮像されている画像、着脱可能な記録媒体２０から読み出して再生した画像などを表示する。覗き込み形のファインダー内のディスプレイや、バリアングルの液晶モニタなどとして構成される。
【００１７】
操作部１６はデジタルビデオカメラ１００に電源を供給するための電源スイッチ、撮影開始ボタン、カメラモード（撮影モード）や再生モードに切り替え可能なモード切替ボタン、などを含み、ユーザからの各種操作を受け付ける。なお操作部１６にタッチパネルが含まれる場合、制御部１０はタッチパネルへの以下のユーザ操作を検出できる。すなわち、
・タッチパネルを指やペンで触れたこと（以下、タッチダウンと称する）。
・タッチパネルを指やペンで触れている状態であること（以下、タッチオンと称する）。
・タッチパネルを指やペンで触れたまま移動していること（以下、ムーブと称する）。
・タッチパネルへ触れていた指やペンを離したこと（以下、タッチアップと称する）。
・タッチパネルに何も触れていない状態（以下、タッチオフと称する）。
これらのユーザ操作や、タッチパネル上に指やペンが触れている位置座標は制御部１０に通知される。制御部１０は通知された情報に基づいてタッチパネル上にどのようなユーザ操作が行なわれたかを判定する。
【００１８】
ムーブについてはタッチパネル上で移動する指やペンの移動方向についても、位置座標の変化に基づいて、タッチパネル上の垂直成分・水平成分毎に判定できる。またタッチパネル上をタッチダウンから一定のムーブを経てタッチアップをしたとき、ストロークを描いたこととする。素早くストロークを描く操作をフリックと呼ぶ。フリックは、タッチパネル上に指を触れたままある程度の距離だけ素早く動かして、そのまま離すといった操作であり、言い換えればタッチパネル上を指ではじくように素早くなぞる操作である。所定距離以上を、所定速度以上でムーブしたことが検出され、そのままタッチアップが検出されるとフリックが行なわれたと判定できる。また、所定距離以上を、所定速度未満でムーブしたことが検出された場合はドラッグが行なわれたと判定される。タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。
【００１９】
無線通信部１４は、制御部１０の制御に基づき、携帯端末２００やパーソナルコンピュータといった外部機器とデータの送受信を無線通信により行う。たとえば、制御部１０は、無線通信部１４を介して、デジタルビデオカメラ１００の設定情報や操作情報などを携帯端末２００へ送信し、デジタルビデオカメラ１００を操作するコマンドや画像データと共に記録する付加情報などを携帯端末２００から受信する。なお、送受信可能なデータにはデジタル画像データやアナログ映像信号を含み得る。
【００２０】
次に、図２を参照して本実施形態による携帯端末２００の構成例を説明する。図２に示されるように、制御部２１に対して、表示部２２、操作部２３、無線通信部２４、ＲＯＭ２５、ＲＡＭ２６の各構成部が接続される。制御部２１と各構成部は互いにデータのやり取りを行うことができるようにされている。
【００２１】
制御部２１は、携帯端末２００のシステム全般を制御するシステム制御部として機能する。制御部２１はＲＯＭ２５に記録されたプログラムをＲＡＭ２６に展開して実行することで、各構成部を制御し、後述のフローチャートで示される処理を実行する。ＲＯＭ２５は、不揮発性の記録媒体であり、制御部２１が実行するプログラムを記憶している。ＲＡＭ２６は制御部２１のワークメモリとして用いられる揮発性の記録媒体である。
【００２２】
表示部２２は、制御部１０の制御に基づき、各種設定状態や、無線通信部２４より受信したデータ（デジタル画像データやアナログ映像信号を含む）などを表示する。操作部２３は、携帯端末２００に電源を供給するための電源スイッチなどを含み、ユーザからの各種操作を受け付ける。なお操作部２３は操作部１６と同様にタッチパネルを含む。操作部２３に含まれるタッチパネルで受付け可能な操作及び方式は、前述の操作部１６に含まれるタッチパネルと同様であるものとする。
【００２３】
無線通信部２４は、制御部２１の制御に基づき、デジタルビデオカメラ１００やパーソナルコンピュータといった外部機器とデータの送受信を無線通信により行う。制御部２１は、無線通信部２４を介して、デジタルビデオカメラ１００の設定情報や操作情報などを受信し、デジタルビデオカメラ１００が実行するコマンドや画像データに関連付けて記録する付加情報などを送信する。なお、送受信可能なデータにはデジタル画像データやアナログ映像信号が含まれ得る。また、携帯端末２００とデジタルビデオカメラ１００との通信には、有線通信が用いられてもよい。
【００２４】
図３、図４、図５Ａ，５Ｂのフローチャートに、第１実施形態による画像管理装置の動作を示す。まず、図３、図４を参照して、デジタルビデオカメラ１００の動作を説明する。なお、図３と図４のフローチャートにおける各処理は、デジタルビデオカメラ１００の制御部１０がＲＯＭ１７に格納されたプログラムをＲＡＭ１８に展開して実行することにより実現される。操作部１６に対するユーザの操作によりデジタルビデオカメラ１００がカメラモード（撮影モード）に設定されると、図３の処理が開始される。
【００２５】
図３は、デジタルビデオカメラ１００のカメラモードにおける全体的な処理手順を示したフローチャートである。カメラモードに設定されるとまず、Ｓ３００で、制御部１０は、デジタルビデオカメラ１００の設定状態により携帯端末２００に送信するための制御情報を生成する。この処理の詳細は図４を用いて後述する。Ｓ３０１では、制御部１０は、Ｓ３００で生成した制御情報を無線通信部１４を介して携帯端末２００に送信する。Ｓ３０２では、制御部１０は、無線通信部１４を介して携帯端末２００からデジタルビデオカメラ１００を動作させるコマンドおよび付加情報のデータを受信する。Ｓ３０３では、制御部１０は、デジタルビデオカメラ１００が動画の記録中であるか否かを判定する。なお、動画の記録中であると判定されるのは、例えば記録開始がなされた後、記録停止がなされていない場合である。記録中であると判定されると処理はＳ３０４に進み、記録中でないと判定されると処理はＳ３０８に進む。
【００２６】
Ｓ３０４では、制御部１０は、Ｓ３０２で受信した付加情報を現在記録している動画像に関連付ける付加情報として適用するコマンド（以下、Apply Clipコマンドと呼ぶ）を受信したかどうかを判定する。Apply Clipコマンドを受信したと判定した場合は、処理はＳ３０５に進み、受信していないと判定した場合は、処理はＳ３０６に進む。Ｓ３０５では、制御部１０は、画像に関連付けて記録すべき付加情報としてＲＡＭ１８の付加情報保持領域に保持している付加情報をＳ３０２で受信した付加情報に更新する（この段階ではまだ画像自体に関連付ける処理は行わない）。Ｓ３０６では、制御部１０は、記録を停止したか否かを判定する。記録を停止したと判定するのは例えば、
・操作部１６に含まれる映像記録停止ボタンによって動画像データの記録停止が指示された場合、
・Ｓ３０２で記録を停止するコマンドを受信して動画像データの記録停止が指示された場合、である。
【００２７】
記録を停止したと判定すると処理はＳ３０７に進み、停止していないと判定すると処理はＳ３００に戻り上記の処理を繰り返す。Ｓ３０７では、制御部１０は、今まで記録していたクリップに関連付けられている付加情報をＲＡＭ１８の保持領域に保持されている付加情報で更新する。なお１クリップは１つの動画ファイルであるものとする。ただし、１クリップが、単一の動画ファイルのうち記録開始指示を受付けてから記録停止指示を受付けるまでに記録した範囲を示す動画の一部範囲であってもよい。また、Ｓ３１２で後述するように、動画の記録を開始した時点で一旦その動画に付加情報を関連付けるので、記録の停止時にはそれまで記録していたクリップには付加情報がすでに関連付けられて存在する。ここでは、その既存の付加情報を最新の内容に書き換える処理を行う。
【００２８】
今まで記録していたクリップとそれに関連付けられた付加情報は記録媒体２０に記録されている。例えば、今まで記録していたクリップは動画像のストリームデータを有する動画像ファイルとして、それに関連づけられた付加情報は付加情報ファイルとして、１対１で同一のフォルダに格納されていることで、関連付けがなされている。Ｓ３０７では、記録媒体２０に記録されている今まで記録していたクリップに関連付けられた付加情報ファイルの内容を、ＲＡＭ１８の保持領域に保持されている付加情報の内容で更新する。これによって、記録停止をするまでにApply Clipコマンドと共に受信した付加情報があれば、記録を停止した際に、Apply Clipコマンドと共に受信した付加情報で画像に関連づけられた付加情報が更新される。記録停止をするまでにApply Clipコマンドと共に受信した付加情報がなければ、画像に関連づけられた付加情報の内容は記録を開始した際に付加された内容と同じとなる。
【００２９】
一方、Ｓ３０８では、制御部１０は、Ｓ３０２で直前に記録したクリップに関連付けられている付加情報を書きかえるコマンド（以下、Rewrite Prevコマンドと呼ぶ）を受信したか否かを判定する。Rewrite Prevコマンドを受信したと判定すると処理はＳ３０９に進み、受信していないと判定した場合は処理はＳ３１３に進む。Ｓ３０９では、制御部１０は、Ｓ３０５と同様に、画像に関連付けて記録すべき付加情報としてＲＡＭ１８の保持領域に保持されている付加情報をＳ３０２で受信した付加情報に更新する。Ｓ３１０では、制御部１０は、直前に記録したクリップに関連付けて記録媒体２０に記録されている付加情報を更新する。直前に記録したクリップとそれに関連付けられた付加情報は記録媒体２０に、前述のように同一フォルダ内に１対１の対応関係を持って記録されている。制御部１０は、記録媒体２０に記録されている直前に記録したクリップに関連付けられた付加情報を、ＲＡＭ１８の保持領域に保持されている付加情報で更新する。これによって、直前に記録したクリップに関連づけて記録媒体２０に記録されている付加情報の内容が、Rewrite Prevと共に受信した付加情報の内容に更新される。
【００３０】
一方、Ｓ３１３では、制御部１０は、これから記録しようとしているクリップに関連付けて記録する付加情報を適用するコマンド（以下、Next Clipコマンドと呼ぶ）を受信したか否かを判定する。Next Clipコマンドを受信したと判定すると処理はＳ３１４に進み、受信していないと判定すると処理はＳ３１１に進む。Ｓ３１４では、制御部１０は、Ｓ３０５と同様に、画像に関連付けて記録すべき付加情報としてＲＡＭ１８の保持領域に保持されている付加情報をＳ３０２で受信した付加情報に更新する。
【００３１】
Ｓ３１１では、制御部１０は、記録を開始したか否かを判定する。記録を開始したと判定するのは例えば、
・操作部１６に含まれる記録開始ボタンによって動画像データの記録開始が指示された場合、
・Ｓ３０２で記録を開始するコマンドを受信して動画像データの記録開始が指示された場合、
などである。記録を開始したと判定すると処理はＳ３１２に進み、開始していないと判定すると処理はＳ３００に戻り上述の処理を繰り返す。
【００３２】
Ｓ３１２では、制御部１０は、新しく記録を開始したクリップに、ＲＡＭ１８の保持領域に保持されている付加情報を関連付けて記録媒体２０に記録する。これによって、前回の記録停止から今回の記録開始までの間にNext Clipコマンドと共に受信した付加情報があれば、今回記録を開始する画像にNext Clipコマンドと共に受信した付加情報が関連付けて記録媒体２０記録されることとなる。なお、Rewrite Prevコマンドと共に受信した付加情報であっても、ＲＡＭ１８の保持領域に保持されている付加情報が更新されるため（Ｓ３０９）、今回記録を開始する画像に関連付けて記録される。このような動作を行なわせないようにするために、Ｓ３０９の処理を省き、Ｓ３１０ではRewrite Prevコマンドとともに受信した付加情報で記録媒体２０を更新し、ＲＡＭ１８に保持している付加情報は更新しないようにしてもよい。このようにすることで、Rewrite Prevコマンドを受信した場合に、直前に記録した画像の付加情報だけを更新することができる。前回の記録停止から今回の記録開始までの間にNext ClipコマンドもRewrite Prevコマンドも受けなかった場合は、その前からＲＡＭ１８の保持領域に保持されている付加情報が用いられる。すなわち、前回記録した画像に関連付けられた付加情報と同一内容の付加情報が、現在記録中あるいは次に記録される画像に関連づけられることとなる。
【００３３】
図４は、図３のＳ３００における制御情報生成処理の詳細を示すフローチャートである。Ｓ４００では、制御部１０は、他のモードからカメラモード（撮影モード）に遷移したか否かを判定する。他のモードからカメラモード（撮影モード）に遷移したと判定するのは例えば、ユーザの操作部１６に対する操作によってデジタルビデオカメラ８００が再生モードやパワーオフ等の他のモードからカメラモード（撮影モード）への遷移が指示された場合、である。他のモードからカメラモード（撮影モード）に遷移したと判定すると処理はＳ４０１に進み、遷移していないと判定すると処理はＳ４０２に進む。Ｓ４０１では、制御部１０は、図３のＳ３０１で携帯端末２００に送信される制御情報として“Rewrite Prevを無効にすることを示す情報”を生成して、ＲＡＭ１８に記録する。
【００３４】
Ｓ４０２では、制御部１０は、新しいクリップを撮影したか否かの判定を行う。新しいクリップを撮影したと判定するのは例えば、動画像データの記録開始が指示されたあと記録を停止するコマンドを受信したことによって記録停止が指示された場合、である。なお、動画像データの記録開始の指示は、たとえば、操作部１６に含まれる撮影開始ボタンの操作、または図３のＳ３０２での記録を開始するコマンドの受信、により検出される。また、動画データの記録停止の指示は、たとえば、操作部１６に含まれる撮影停止ボタンの操作、または図３のＳ３０２での記録を停止するコマンドの受信、により検出される。新しいクリップを撮影したと判定した場合は処理はＳ４０３に進み、撮影していないと判定した場合は処理はＳ４０４に進む。Ｓ４０３では、制御部１０は、図３のＳ３０１で携帯端末２００に送信される制御情報において前述の“Rewrite Prevを無効にすることを示す情報”をクリアする。
【００３５】
Ｓ４０４では、制御部１０は、記録媒体２０を初期化したか否かを判定する。記録媒体２０を初期化したと判定するのは例えば、操作部１６に含まれるメニューボタンによって図６に示すようなメニュー６００が開かれ、メニュー６００の項目から記録媒体２０の初期化が指示された場合、である。記録媒体２０を初期化したと判定した場合は、処理はＳ４０５に進み、記録媒体２０を初期化していないと判定した場合は制御情報の生成処理を終了する。Ｓ４０５では、制御部１０は、Ｓ４０１と同様に図３のＳ３０１で携帯端末２００に送信される制御情報として“Rewrite Prevを無効にすることを示す情報”を生成する。Ｓ４０５の処理が終了すると制御情報の生成処理を終了する。
【００３６】
次に、携帯端末２００の動作を図５Ａ，図５Ｂのフローチャートを参照して説明する。図５Ａ，図５Ｂにおける各処理は、携帯端末２００を構成する制御部２１がＲＯＭ２５に格納されたプログラムをＲＡＭ２６に展開して実行することにより実現される。ユーザの操作部２３に対する操作によって携帯端末２００が外部機器制御モードに設定されると図５Ａ，５Ｂの処理が開始される。
【００３７】
外部機器制御モードになったときの携帯端末２００の表示部２２に表示される画面の一例を図７に示す。ここでは携帯端末２００で編集した付加情報をデジタルビデオカメラ１００に送信する操作を行う画面を説明する。図７において、付加情報編集画面７００はデジタルビデオカメラ１００で撮影したクリップに関連付けて記録する付加情報の編集を行いデジタルビデオカメラ１００へデータを送信する操作を行う画面である。ユーザは操作部２３に含まれる十字キーを操作して各項目の編集を行う。クリップタイトルのフィールド７０１はクリップのタイトルを入力するフィールドである。撮影者のフィールド７０２はクリップを撮影した撮影者を入力するフィールドである。撮影場所のフィールド７０３はクリップの撮影場所を入力するフィールドである。撮影内容のフィールド７０４はクリップの撮影内容を入力するフィールドである。第１の表示アイテムとしてのRewrite Prevボタン７０５は入力した付加情報を直前に撮影したクリップに関連付けて記録するためにデジタルビデオカメラ１００にRewrite Prevコマンドと付加情報データを送信するためのボタンである。第２の表示アイテムとしてのNext Clipボタン７０６は入力した付加情報をこれから撮影しようとするクリップに関連付けて記録するためにデジタルビデオカメラ１００にNext Clipコマンドと付加情報データを送信するためのボタンである。なお、各コマンドと付加情報データは、無線通信部２４を介してデジタルビデオカメラ１００へ送信される。
【００３８】
外部機器制御モードに設定されるとまず、Ｓ５００で、制御部２１は、デジタルビデオカメラ１００から無線通信部２４を介してデジタルビデオカメラ１００の制御情報を受信する。なお、デジタルビデオカメラ１００から送信される制御情報にはデジタルビデオカメラ１００が動画記録中か否かを示す情報を含むものとする。動画記録中か否かの制御情報は、たとえば、図３のＳ３００において生成される。Ｓ５０１では、制御部２１は、Ｓ５００で受信した制御情報からデジタルビデオカメラ１００が記録中か否かを判定する。記録中と判定されると処理はＳ５０２に進み、記録中でないと判定されると処理はＳ５０７に進む。Ｓ５０２では、制御部２１は、付加情報編集画面７００にデジタルビデオカメラ１００で現在記録中のクリップに関連付けて記録する付加情報のデータとコマンドを送信するApply Clipボタン（不図示）を表示する。
【００３９】
Ｓ５０３では、制御部２１は、図７で示すクリップタイトルのフィールド７０１、撮影者のフィールド７０２、撮影場所のフィールド７０３、撮影内容のフィールド７０４のいずれかのフィールドへの入力があったか否かを判定する。いずれかのフィールドへの入力があったと判定した場合には処理はＳ５０４に進み、フィールドへの入力がなかった場合には処理はＳ５０５に進む。Ｓ５０４では図７で示す付加情報編集画面の更新を行う。
【００４０】
Ｓ５０５では、制御部２１は、Apply Clipボタンがユーザにより押されたか否かを判定する。なお、「押された」とは、表示されたボタンに対するタッチ操作（タッチダウンやタッチアップ）が行われること、操作部２３を用いて表示されたボタンを選択した後に決定操作が行われたこと、などを意味するものとする。Apply Clipボタンが押されたと判定すると処理はＳ５０６に進み、押されていないと判定すると処理はＳ５１９に進む。Ｓ５０６では、制御部２１は、デジタルビデオカメラ１００に送信するApply Clipコマンドと付加情報データを生成する。
【００４１】
一方、Ｓ５０７では、制御部２１は、付加情報編集画面７００にRewrite Prevボタン７０５とNext Clipボタン７０６を表示する。Ｓ５０８では、制御部２１は、Ｓ５００で受信した制御情報が“Rewrite Prevボタンを無効にする情報”を含むか否かを判定する。Rewrite Prevボタンを無効にする情報“を含む場合は、処理はＳ５０９に進み、含まない場合は、処理はＳ５１０に進む。Ｓ５０９では、制御部２１は、Rewrite Prevボタン７０５を無効表示する。無効表示とは、例えばボタンをグレーアウトする（無効であることが識別可能であることが分かるように色を変更して表示する）ことである。ただし、グレーアウト以外でもボタンを押しても無効である旨がユーザにわかる表示形態に変更されればよい。他方、Ｓ５１０では、制御部２１は、Rewrite Prevボタン７０５を有効表示する。
【００４２】
Ｓ５１１では、制御部２１は、Ｓ５０３と同様に図７に示すフィールド７０１〜７０４のいずれかに入力があったか否かを判定する。いずれかのフィールドへの入力があったと判定した場合には処理はＳ５１２に進み、フィールドへの入力がなかった場合には処理はＳ５１３に進む。Ｓ５１２では図７で示す付加情報編集画面７００の更新を行う。
【００４３】
Ｓ５１３では、Rewrite Prevボタン７０５が押下されたか否かを判定する。ユーザによりRewrite Prevボタン７０５が押されたと判定した場合には処理はＳ５１４に進み、押されていないと判定した場合には処理はＳ５１７に進む。Ｓ５１４では、制御部２１は、Rewrite Prevボタン７０５が無効表示されているか否かを判定する。Rewrite Prevボタン７０５が無効表示されていると判定した場合には処理はＳ５１５に進み、無効表示されていないと判定した場合には処理はＳ５１６に進む。Ｓ５１５では、制御部２１は、Rewrite Prevボタン７０５が無効であり、押下してもデジタルビデオカメラ１００にコマンドと付加情報データを送信しない旨の警告表示を、表示部２２に行う。Ｓ５１６では、制御部２１は、デジタルビデオカメラ１００に送信するRewrite Prevコマンドと付加情報データを生成する。
【００４４】
一方、Ｓ５１７では、制御部２１は、Next Clipボタン７０６がユーザにより押されたか否かの判定を行う。Next Clipボタン４０６が押されたと判定した場合には処理はＳ５１８に進み、押されていないと判定した場合には処理はＳ５１９に進む。Ｓ５１８では、制御部２１は、デジタルビデオカメラ１００に送信するNext Clipコマンドと付加情報データを生成する。Ｓ５１９では、制御部２１は、デジタルビデオカメラ１００に送信するコマンドおよびデータが生成されたか否かを判定する。ここでコマンドおよびデータが生成されたと判定するのはＳ５０６、Ｓ５１６、Ｓ５１８のいずれかを処理した場合である。送信するコマンドおよびデータが生成されたと判定すると処理はＳ５２０に進み、生成されていないと判定すると処理はＳ５００に戻り上記の処理を繰り返す。Ｓ５２０では、制御部２１は、生成されたコマンドおよび付加情報データを含む実行指示を、無線通信部２４を介してデジタルビデオカメラ１００に送信する。
【００４５】
以上のように、第１実施形態によればデジタルビデオカメラ１００で他の動作モードからカメラモード（撮影モード）に遷移した後、一度も撮影が開始されていない場合には、携帯端末２００においてRewrite Prevボタン７０５が無効化される。このため、付加情報を意図しないクリップに関連付けて記録することを防ぐことが可能となる。また、上記実施形態によれば、記録媒体２０の初期化が行なわれると、携帯端末２００のRewrite Prevボタン７０５が無効化される。このため、記録媒体２０にクリップが存在しない状態になっているにも関わらず、ユーザが最後に撮影したクリップに関連付けて付加情報を記録したと誤解することを防止することが可能となる。
【００４６】
＜第２実施形態＞
次に第２実施形態による画像管理装置を説明する。第２実施形態の画像管理装置は、図８に示すデジタルビデオカメラ８００（カムコーダ）と図２に示す携帯端末２００を用いて構成され得る。
【００４７】
第２実施形態のデジタルビデオカメラ８００は、図８に示すように、第１実施形態（図１）に対して、記録媒体検出部４０が追加されている。記録媒体検出部４０は記録媒体Ｉ／Ｆに対する着脱可能な記録媒体２０の装着状態を検出する。その他の構成部分は図１と同様である。また、携帯端末２００は第１実施形態と同様の構成で実現可能である。
【００４８】
第２実施形態の動画像管理装置は、図３、図５Ａ、図５Ｂ、図９のフローチャートにより示される処理を実行する。図３と図９のフローチャートにより示される各処理は、デジタルビデオカメラ８００の制御部１０がＲＯＭ１７に格納されたプログラムをＲＡＭ１８に展開して実行することにより実現される。ユーザの操作部１６に対する操作によってデジタルビデオカメラ８００がカメラモード（撮影モード）に設定されると図３の処理が開始される。デジタルビデオカメラ８００のカメラモードでの全体的な処理手順（図３）は第１実施形態と同様であるため説明は省略する。
【００４９】
図９は、図３のＳ３００における制御情報生成処理の詳細を示すフローチャートである。Ｓ９００では、制御部１０は、記録媒体Ｉ／Ｆ１９に記録媒体２０が装着されているか否かを判定する。記録媒体２０が装着されているか否かの判定は記録媒体検出部４０を介して行われる。記録媒体２０が装着されていると判定した場合は処理はＳ９０１に進み、装着されていないと判定した場合は処理はＳ９０９に進む。Ｓ９０１では、制御部１０は、図３のＳ３０１で携帯端末２００に送信するための制御情報としてNext Clipボタン７０６を無効にする情報をクリアする。
【００５０】
Ｓ９０２では、制御部１０は、記録媒体Ｉ／Ｆ１９に装着されている記録媒体が最後に動画像の記録が行なわれた記録媒体か否かを判定する。最後に動画像の記録が行なわれた記録媒体であると判定する方法の一例として次のような方法が挙げられる。すなわち、ＲＡＭ１８に最後に動画像の記録を行なった記録媒体の情報を保存しておき、ＲＡＭ１８に保存されている記録媒体情報と記録先の記録媒体の情報が一致する場合に、最後に動画像の記録が行なわれた記録媒体であると判定する。Ｓ９０２で最後に記録した記録媒体であると判定した場合は、処理はＳ９０３に進み、最後に記録した記録媒体でないと判定した場合は処理はＳ９０４に進む。Ｓ９０３では、制御部１０は、Rewrite Prevを無効にする情報をクリアする。
【００５１】
Ｓ９０４では、制御部１０は、新しいクリップを撮影したか否かを判定する。新しいクリップを撮影したと判定した場合は処理はＳ９０５に進み、撮影していないと判定した場合は処理はＳ９０７に進む。Ｓ９０５では、制御部１０は、Rewrite Prevを無効にする情報をクリアする。Ｓ９０６では、制御部１０は、最後に記録した記録媒体の情報をＲＡＭ１８に保存する。Ｓ９０７では、制御部１０は、記録媒体２０を初期化したか否かを判定する。記録媒体２０を初期化したと判定した場合は、処理はＳ９０８に進み、記録媒体２０を初期化していないと判定した場合は処理を終了する。Ｓ９０８では、制御部１０は、Rewrite Prevを無効にする情報を生成する。一方、Ｓ９０９では、制御部１０は、図３のＳ３０１で携帯端末２００に送信するための制御情報としてRewrite PrevとNext Clipを無効にする情報を生成する。
【００５２】
第１実施形態と同様に、図５Ａ、図５Ｂにおける各処理は、携帯端末２００を構成する制御部２１がＲＯＭ２５に格納されたプログラムをＲＡＭ２６に展開して実行することにより実現される。ユーザの操作部２３に対する操作によって携帯端末２００が外部機器制御モードに設定されると図５Ａ，図５Ｂの処理が開始される。携帯端末２００の処理手順は第１実施形態と同様である。
【００５３】
なお、第２実施形態では、記録媒体２０の装着状況に応じて制御を行ったがこれに限られるものではない。たとえば、記録媒体Ｉ／Ｆ１９に蓋があり蓋の開閉検出が行える構成である場合に、蓋の開閉状況により同様の制御を行うことも可能である。この場合、Ｓ９００の判定を、蓋が開いているか否かの判定とし、蓋が開いていればＳ９０９へ、閉じていればＳ９０１へ処理を進めるようにすればよい。
【００５４】
以上のように、第２実施形態によればデジタルビデオカメラ８００で記録媒体２０が入れ替えられて最後に撮影されたクリップの内容が把握できなくなった場合にはRewrite PrevやNext Clipが無効化される。このため、携帯端末２００から付加情報を意図しないクリップに関連付けて記録することを防ぐことが可能となる。また、記録媒体２０の初期化が行われると、Rewrite Prevが無効化され、携帯端末２００のRewrite Prevボタン７０５が無効表示となる。このため、記録媒体にクリップが存在しない状態になっているにも関わらずユーザが最後に撮影したクリップに関連付けて付加情報を記録したという誤解を防止することが可能となる。
【００５５】
＜第３実施形態＞
次に、第３実施形態による動画管理装置を説明する。図１０と図２に、本発明を適用可能な画像管理装置の構成の一例を示す。画像管理装置は、図１０に示すデジタルビデオカメラ１０００（カムコーダ）と図２に示す携帯端末２００を用いて構成可能なものである。図１０に示されるデジタルビデオカメラ１０００の構成では、第１実施形態（図１）に対して、記録媒体Ｉ／Ｆ５０と記録媒体５１が追加となっている。
【００５６】
すなわち、第３実施形態のデジタルビデオカメラ１０００は、記録媒体Ｉ／Ｆ１９と記録媒体Ｉ／Ｆ５０の２つのインタフェースを有し、画像データを記録するための記録媒体を２つ装着できる。記録媒体Ｉ／Ｆ１９と記録媒体Ｉ／Ｆ５０はメモリカード等の着脱可能な記録媒体を挿入可能なスロットになっている。図１０においては、記録媒体Ｉ／Ｆ１９と記録媒体Ｉ／Ｆ５０のそれぞれに記録媒体２０と記録媒体５１が装着されている例が示されている。なお、以下では、２つの着脱可能な記録媒体に画像データを記録する構成を用いて説明するが、これに限られるものではない。たとえば、着脱が不可能でデジタルビデオカメラ１０００に内蔵されたメモリを２つ使用した構成、着脱可能な記録媒体２０と着脱が不可能な内蔵メモリの組み合わせを使用した構成も考えられる。その他の構成部分は第１実施形態（図１）と同様である。また、携帯端末２００は第１実施形態と同様である。
【００５７】
第３実施形態の動画管理装置は図３、図５Ａ、図５Ｂ、図１１のフローチャートにより示される処理を実行する。図３と図１１のフローチャートに示される各処理は、デジタルビデオカメラ１０００の制御部１０がＲＯＭ１７に格納されたプログラムをＲＡＭ１８に展開して実行することにより実現される。ユーザの操作部１６に対する操作によってデジタルビデオカメラ１０００がカメラモード（撮影モード）に設定されると図３の処理が開始される。本実施形態では、ダブルＲＥＣが可能であるものとする。ダブルＲＥＣとは、複数の記録媒体に同一の画像を並行して記録する方法である。これによって自動的にバックアップファイルが生成されることとなる。なお、デジタルビデオカメラ１０００のカメラモードでの全体的な処理手順は第１実施形態（図３）と同様である。
【００５８】
図１１は、図３のＳ３００における制御情報の生成処理の詳細を示すフローチャートである。Ｓ１１００では、制御部１０は、撮影した画像の記録先記録媒体が切り替えられたか否かを判定する。記録先記録媒体が切り替えられたと判定するのは、例えば、操作部１６に含まれる記録媒体切り替えボタンが押下された場合である。記録先記録媒体が切り替えられたと判定されると処理はＳ１１０１に進み、切り替えられていないと判定されると処理はＳ１１０５に進む。Ｓ１１０１では、制御部１０は、記録する記録媒体の対象数が切り替えられたかの判定を行う。この切り替えは、ダブルＲＥＣ機能をＯＮとするかＯＦＦとするかの切り替えである。記録する記録媒体の対象数が１であれば、ダブルＲＥＣ機能はＯＦＦである。記録対象が２以上であればダブルＲＥＣ機能はＯＮとなり、設定された２以上の記録媒体に、同一の画像が並行して記録される。Ｓ１１０１で記録する記録媒体の対象数が切り替えられたと判定した場合は処理はＳ１１０４に進み、記録する記録媒体の対象数が切り替えられていないと判定した場合は処理はＳ１１０２に進む。
【００５９】
Ｓ１１０２では、制御部１０は、記録に用いる記録媒体は最後に動画像を記録した記録媒体であるかを判定する。Ｓ１１０２で最後に記録した記録媒体であると判定した場合は処理はＳ１１０３に進み、最後に記録した記録媒体でないと判定した場合は処理はＳ１１０４に進む。Ｓ１１０３では、制御部１０は、図３のＳ３０１で携帯端末２００に送信するための制御情報におけるRewrite Prevを無効にする情報をクリアする。他方、Ｓ１１０４では、制御部１０は、図３のＳ３０１で携帯端末２００に送信するための制御情報としてRewrite Prevを無効にする情報を生成する。なお、図１１のステップＳ１１０５〜Ｓ１１０９は、第２実施形態で説明した図９のステップＳ９０４〜Ｓ９０８と同様の処理である。
【００６０】
また、図５Ａ、図５Ｂに示される各処理は、携帯端末２００を構成する制御部２１がＲＯＭ２５に格納されたプログラムをＲＡＭ２６に展開して実行することにより実現される。ユーザの操作部２３に対する操作によって携帯端末２００が外部機器制御モードに設定されると図５Ａ，図５Ｂの処理を開始する。携帯端末２００での全体的な処理手順は第１実施形態と同様である。
【００６１】
なお、上記第３実施形態では、記録先記録媒体の切り替えを操作部１６に含まれる記録媒体切り替えボタンの押下で制御を行ったが、これに限られるものではなく、その他の操作により記録先の切り替えが行われても良い。例えば、
・メニューから記録先記録媒体を選択する場合、
・記録媒体が装着されたかどうかを検出する構成がある場合に、記録先記録媒体に設定されている記録媒体が抜かれたことが検出された場合、
・記録媒体Ｉ／Ｆ１９に蓋があり、蓋の開閉検出が行える構成がある場合に、記録先記録媒体に設定されている記録媒体Ｉ／Ｆ１９の蓋が開いていることが検出された場合。
【００６２】
また、上記では記録媒体は２つの場合で説明をしたが、記録媒体が３つ以上ある構成でも同様の制御をすることが可能である。
【００６３】
以上のように、第３実施形態によれば、デジタルビデオカメラ１０００で記録先記録媒体の切り替えや記録先記録媒体の数の切り替えが行われ、最後に撮影されたクリップの内容が把握できなくなった場合に、Rewrite Prevが無効化される。このため、携帯端末２００から付加情報を意図しないクリップに関連付けて記録してしまうことを防ぐことが可能となる。また、記録先となっている記録媒体２０の初期化が行われると、Rewrite Prevが無効化され、携帯端末２００のRewrite Prevボタン７０５が無効表示となる。そのため、クリップが存在しない状態になっているにも関わらずユーザが最後に撮影したクリップに関連付けて付加情報を記録したという誤解を防止することが可能となる。
【００６４】
＜第４実施形態＞
上述の第１〜第３実施形態では、付加情報の内容の入力と付加対象画像の選択をデジタルビデオカメラとは異なる携帯端末２００を用いて行っていたが、デジタルビデオカメラ自体で行うことも可能である。第４実施形態では、第１実施形態で携帯端末２００が行った処理と同様の処理をデジタルビデオカメラ１００で行う例を説明する。なお、第４実施形態のデジタルビデオカメラ１００の構成は第１実施形態（図１）と同様の構成で実現可能である。
【００６５】
図１２〜図１４に第４実施形態におけるフローチャートを示す。図１２〜図１４のフローチャートに示される各処理は、デジタルビデオカメラ１００の制御部１０がＲＯＭ１７に格納されたプログラムをＲＡＭ１８に展開して実行することにより実現される。ユーザの操作部１６に対する操作によってデジタルビデオカメラ１００がカメラモード（撮影モード）に設定されると図１２の処理が開始される。
【００６６】
図１２は、第４実施形態のデジタルビデオカメラ１００による、カメラモードでの全体的な処理手順を示したフローチャートである。カメラモードに設定されるとまず、Ｓ１２００で、制御部１０は、付加情報編集画面７００が開かれたか否かを判定する。付加情報編集画面７００が開かれたと判定するのは、例えば操作部１６に含まれるメニューボタンからメニューを開き付加情報編集の項目がユーザにより選択された場合である。付加情報編集画面７００は、制御部１０により、デジタルビデオカメラ１００に備えられた表示部１５に表示される。付加情報編集画面７００が開かれたと判定した場合は、処理はＳ１２０１に進み、開かれていないと判定した場合は、処理はＳ１２０３に進む。Ｓ１２０１では、制御部１０は、付加情報編集処理を行う。この処理の詳細は図１３を用いて後述する。
【００６７】
Ｓ１２０２では、制御部１０は、付加情報編集画面７００が閉じられたか否かを判定する。閉じられたと判定するのは例えば付加情報編集画面７００に設けられた閉じるボタン（不図示）がユーザにより選択された場合である。付加情報編集画面７００が閉じられたと判定すると処理はＳ１２０３に進み、閉じられていないと判定すると処理はＳ１２０１に戻り上述の処理が繰り返される。Ｓ１２０３では、制御部１０は、記録処理を行う。この処理の詳細は図１４を用いて後述する。Ｓ１２０３が終了するとＳ１２００に戻り、上述した処理が繰り返される。
【００６８】
図１３は、図１２のＳ１２０１における付加情報編集処理の詳細を示すフローチャートである。Ｓ１３００では、制御部１０は、デジタルビデオカメラ１００が記録中か否かを判定する。記録中と判定されると処理はＳ１３０１に進み、記録中でないと判定されると処理はＳ１３０６に進む。Ｓ１３０１では、制御部１０は、付加情報編集画面７００にApply Clipボタン（不図示）を表示する。Ｓ１３０２では、制御部１０は、図７で示すクリップタイトルのフィールド７０１、撮影者のフィールド７０２、撮影場所のフィールド７０３、撮影内容のフィールド７０４のいずれかへの入力があったか否かを判定する。いずれかのフィールドへの入力があったと判定した場合には処理はＳ１３０３に進み、フィールドへの入力がなかった場合には処理はＳ１３０４に進む。Ｓ１３０３では、制御部１０は、図７で示す付加情報編集画面７００の更新を行う。Ｓ１３０４では、制御部１０は、Apply Clipボタンがユーザにより押されたか否かを判定する。Apply Clipボタンが押されたと判定すると処理はＳ１３０５に進み、押されていないと判定すると処理を終了する。Ｓ１３０５では、制御部１０は、ＲＡＭ１８の保持領域に保存されている付加情報を、付加情報編集画面７００のフィールドに入力された情報で更新する。
【００６９】
一方、Ｓ１３０６では、制御部１０は、付加情報編集画面７００にRewrite Prevボタン７０５とNext Clipボタン７０６を表示する。Ｓ１３０７では、制御部１０は、Rewrite Prevを無効にする情報があるか否かを判定する。Rewrite Prevを無効にする情報がある場合は処理はＳ１３０８に進み、Rewrite Prevを無効にする情報がない場合は処理はＳ１３０９に進む。Ｓ１３０８では、制御部１０は、Rewrite Prevボタン７０５を無効表示する。また、Ｓ１３０９では、制御部１０は、Rewrite Prevボタン７０５を有効表示する。Ｓ１３１０では、制御部１０は、Ｓ１３０２と同様に図７で示すフィールド７０１〜７０４のいずれかに入力があったか否かを判定する。いずれかのフィールドへの入力があったと判定した場合には処理はＳ１３１１に進み、フィールドへの入力がなかった場合には処理はＳ１３１２に進む。Ｓ１３１１では、制御部１０は、図７で示す付加情報編集画面７００の更新を行う。
【００７０】
Ｓ１３１２では、Rewrite Prevボタン７０５が押されたか否かを判定する。ユーザによりRewrite Prevボタン７０５が押されたと判定した場合には処理はＳ１３１３に進み、押されていないと判定した場合には処理はＳ１３１６に進む。Ｓ１３１３では、制御部１０は、Rewrite Prevボタン７０５が無効表示されているか否かを判定する。たとえば、Rewrite Prevボタン７０５がグレーアウトされているか否かを判定する。Rewrite Prevボタン７０５が無効表示されていると判定した場合には処理はＳ１３１４に進み、無効表示されていないと判定した場合には処理はＳ１３１５に進む。
【００７１】
Ｓ１３１４では、制御部１０は、Rewrite Prevボタン７０５が無効であり、押下してもデジタルビデオカメラ１００にコマンドと付加情報データを送信しない旨の警告表示を表示部１５に行う。Ｓ１３１５では、制御部１０は、最後に撮影したクリップに関連付けて記録されている付加情報の内容を、ＲＡＭ１８の保持領域に保存されている付加情報で更新する。一方、Ｓ１３１６では、制御部１０は、Next Clipボタン４０６がユーザにより押されたか否かを判定する。Next Clipボタン７０６が押されたと判定した場合には処理はＳ１３１７に進み、押されていないと判定した場合には処理を終了する。Ｓ１３１７では、制御部１０は、ＲＡＭ１８の保持領域に保存されている付加情報を付加情報編集画面７００のフィールドに入力された情報で更新する。
【００７２】
図１４は、図１２のＳ１２０３における記録処理の詳細を示すフローチャートである。Ｓ１４０１では、制御部１０は、デジタルビデオカメラ１００での記録中からの記録停止があったか否かを判定する。記録を停止したと判定すると処理はＳ１４０２に進み、記録停止が無かった場合はＳ１４０３へ進む。Ｓ１４０２では、制御部１０は、撮影したクリップに関連付けられて記録されている付加情報の内容をＲＡＭ１８の保持領域に保存されている付加情報で更新する。
【００７３】
一方、Ｓ１４０３では、制御部１０は、他のモードからカメラモード（撮影モード）に遷移したか否かを判定する。他のモードからカメラモード（撮影モード）に遷移したと判定すると処理はＳ１４０４に進み、他のモードからカメラモード（撮影モード）に遷移していないと判定すると処理はＳ１４０５に進む。Ｓ１４０４では、制御部１０は、Rewrite Prevを無効にする情報を生成する。Ｓ１４０５では、制御部１０は、記録媒体２０を初期化したか否かを判定する。記録媒体２０を初期化したと判定した場合は処理はＳ１４０６に進み、記録媒体２０を初期化していないと判定した場合は処理はＳ１４０７に進む。Ｓ１４０６では、制御部１０は、Ｓ１４０４と同様にRewrite Prevを無効にする情報を生成する。Ｓ１４０７では、制御部１０は、記録を開始したか否かを判定する。記録を開始したと判定した場合は処理はＳ１４０８に進み、撮影していないと判定した場合は処理を終了する。Ｓ１４０８では、ＲＡＭ１８の保持領域に保存されている付加情報を、撮影を開始したクリップに関連付けて記録する。Ｓ１４０９では、制御部１０は、Rewrite Prevを無効にする情報をクリアする。Ｓ１４０９が終了すると処理を終了する。
【００７４】
以上のように、第４実施形態によればデジタルビデオカメラ１００で他のモードからカメラモード（撮影モード）に遷移し最後に撮影されたクリップの内容が把握できなくなった場合に、Rewrite Prevが無効化される。このため、付加情報を意図しないクリップに関連付けて付加情報を記録してしまうことを防ぐことが可能となる。また、記録媒体２０の初期化が行われると、Rewrite Prevが無効化され、Rewrite Prevボタン７０５が無効表示となる。そのため、クリップが存在しない状態になっているにも関わらずユーザが最後に撮影したクリップに関連付けて付加情報を記録したという誤解を防止することが可能となる。
【００７５】
なお、上記と同様、第２実施形態及び第３実施形態において携帯端末２００側で行うものとして説明した処理を、デジタルビデオカメラ１００側で行う要に子構成することが可能である。すなわち、本発明は、単一の装置としての画像管理装置が、画像を記録する処理と、付加情報の内容の入力と付加対象画像の選択を行う処理の双方を行う場合にも適用可能である。すなわち、制御部１０及び制御部２１の制御は１つのハードウェアが行ってもよいし、複数のハードウェアが処理を分担することで実現されてもよい。
【００７６】
なお、第１〜第３実施の形態では、デジタルビデオカメラ１００とは別体の携帯端末２００から画像の付加情報の内容と付加する対象の画像の指定を行えるようにしている。このような構成としたシステムを用いた場合、映画の撮影現場などでは、監督、デジタルビデオカメラ１００を用いて画像を撮影するカメラマン、携帯端末２００を用いて付加情報を入力するスタッフとをそれぞれ別の人物として作業にあたることが考えられる。このような場合には、カメラマンが行うカメラ操作タイミングと、付加情報を入力する入力スタッフが付加情報を付加するタイミングの連携を取ることが難しく、誤操作が起きやすいため、本発明の効果は特に顕著である。
【００７７】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。例えば、第１実施形態では、他のモードから撮影モードに遷移した場合にRewrite Prevを無効とするようにしたが、これをアンド条件で第２、第３実施形態でも採用しても良い。
【００７８】
付加情報の関連付けの仕方としては、付加情報を画像ファイルとは独立した付加情報ファイルとして、動画ファイルと同一のフォルダに格納することで関連付けを行う例を説明したが、これに限られるものではない。関連付けの方法はリストや、ファイル名に同一の文字列をいれることなどにより行ってもよいし、画像ファイル内のヘッダ部分に付加情報を直接記録する方法などでもよい。
【００７９】
さらに、上述の各実施形態では、動画に付加情報を付加する例を説明したが、静止画に付加情報を付加する際にも適用可能である。さらに撮像部１２で撮影した画像に付加情報を付加する例を説明したが、付加情報を付加する対象の画像は撮像部１２で撮影された画像に限るものではなく、外部から入力された動画を録画したり、静止画を記録する際に適用してもよい。すなわち、上述した実施形態においては、本発明をデジタルビデオカメラに適用した場合を例にして説明したが、この例に限定されるものではない。本発明は、画像や音などのコンテンツを記録し、記録したコンテンツに付加情報を関連づけるコンテンツ管理装置であれば適用可能である。すなわち、本発明はパーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダー、テレビ、ＤＶＤレコーダーなどに適用可能である。例えば、第１実施形態では、Ｓ４００において、コンテンツを記録媒体に記録する記録装置の動作モードがコンテンツを記録するための記録モードへ、その記録モード以外の他の動作モードから遷移したことが判定される。そして、他の動作モードから記録モードへ遷移したと判定されてから該遷移後で最初の記録動作が実行されるまでは、第１の処理であるRewrite Prevの実行指示のためのユーザ操作を不能にする（Ｓ４０１、Ｓ４０２、Ｓ４０４）。
【００８０】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
0005818634.tif 000002
【図２】
0005818634.tif 000003
【図３】
0005818634.tif 000004
【図４】
0005818634.tif 000005
【図５Ａ】
0005818634.tif 000006
【図５Ｂ】
0005818634.tif 000007
【図６】
0005818634.tif 000008
【図７】
0005818634.tif 000009
【図８】
0005818634.tif 000010
【図９】
0005818634.tif 000011
【図１０】
0005818634.tif 000012
【図１１】
0005818634.tif 000013
【図１２】
0005818634.tif 000014
【図１３】
0005818634.tif 000015
【図１４】
0005818634.tif 000016